(57)【要約】【課題】スラットの換気構造を家具等の収容体に応用して、消臭装置、乾燥装置等の設置が不要で、従ってランニングコストも不要で、換気を行うことができる、換気構造を備えた収容体を提供することを目的とする。【解決手段】下駄箱１は、本体となる長方体状の箱体１０と、この箱体１０の一面に設けられた開口部１１と、この開口部１１の開閉部となる内外の引違戸１２，１３と、箱体１０内に靴等を置く棚１４Ａからなっており、それらの引違戸１２，１３には、それぞれ複数枚のスラット２が取付けられている。これらのスラット２は換気構造Ｋにより、開閉可能で、各スラット２，２・・・の開放によって、箱体１０の内外の空気が移動し、換気されるようになっている。【選択図】　　　　図２
2004131998.tif 000002
【特許請求の範囲】
【請求項１】
被収容物を収納する本体と、その本体に被収容物を出し入れするための開閉部を備えた収容体において、
前記本体の所定の領域にスラットを取付けると共に、それらのスラットを揺動させる換気構造を取付けたことを特徴とする換気構造付き収容体。
【請求項２】
前記スラットは、前記開閉部に配置されていることを特徴とする請求項１に記載の換気構造付き収容体。
【請求項３】
前記収容体は下駄箱であることを特徴とする請求項１に記載の換気構造付き収容体。
【請求項４】
前記収容体はワードローブであることを特徴とする請求項１に記載の換気構造付き収容体。
【請求項５】
前記換気構造は、スライド力を回転力に変換させるねじりバーと、該ねじりバーの一端側に取付けられ、且つ、その回転力が伝達される第１の伝達部材と、該第１の伝達部材に取付けられ、且つ、その回転力が伝達されるバー部材と、前記複数のスラットに対応するように、前記バー部材に所定間隔をおいて取付けられ、且つ、その回転力が伝達される第２の伝達部材とからなることを特徴とする請求項１に記載の換気構造付き収容体。
【発明の詳細な説明】
【０００１】
【発明の属する技術分野】
この発明は、収容体の開口部に換気構造を備えた換気構造付収容体に関する。
【０００２】
【従来の技術】
本体の一面を開口部とし、その開口部に引違戸等を取付け、物を収容する家具等の収容体において、我々は次のような不愉快な思いを経験する場合がある。
それは、引違戸等を開ける毎に嗅ぐことになる収容体内部からの「臭い」である。
この「臭い」を解消するための具体的な方法として、収容体内に消臭装置を設置する、乾燥装置を設置すること等が考えられる。また、収容体内と床下外部間に通風路を設け、強制的に家具内の空気を排気する方法も考えられる。
【０００３】
しかし、消臭装置、乾燥装置を設置する場合には、その装置自体のコスト、その装置を動かすファン用電源等の施工コスト、それらの装置を動作及び維持する場合のランニングコストが必要である。
【０００４】
一方、出願人は、スラットを雨戸の構成要素とすると共に、スラットの揺動機構を取付けて、通風等の新たな機能を付加した雨戸を提案している。この雨戸に使用されているスラットの揺動機構は、操作スライダーを左右にスライドさせるというスライド運動によって動作するもので、簡単な構造によりその操作を向上させることに成功している（例えば、特許文献１参照）。
【０００５】
【特許文献１】
特開２００２−２５６７７６号公報（第３頁、段落００１４、図７）。
【０００６】
【発明が解決しようとする課題】
そこで出願人は、上記スラットの揺動機構を収容体に応用して、消臭装置、乾燥装置等の設置が不要で、従ってランニングコストも不要で、換気を行うことができる、換気構造付き収容体を提供することを目的とする。
【０００７】
【課題を解決するための手段】
上記課題を解決するため、本願発明は、被収容物を収納する本体と、その本体に被収容物を出し入れするための開閉部を備えた収容体において、前記本体の所定の領域にスラットを取付けると共に、それらのスラットを揺動させる換気構造を取付けたことを特徴とする換気構造付き収容体とした（請求項１に記載の発明）。
収容体として、後述のように被収容物たる靴類を収容する下駄箱、洋服類を収容するワードローブ等の家具を例示するが、これらに限定されるものではない。本体におけるスラットの配置位置は、所定の領域であって本体のどのような面でもよい。また本体の一面のみに限定されるものでもない。
前記開閉部の開口形式は、引戸、引違戸、折戸、竪スベリ出し、観音開きの形式等、どのような形式でもよい。
この発明によれば、操作スライダーを左右にスライドさせるというスライド運動によってスラットが開閉し、収容体内外の換気を行うことができるので、第１に消臭装置、乾燥装置等の設置が不要である、第２にランニングコストが不要である、第３に換気量を自在に調整できる等の作用効果を奏する。
【０００８】
前記スラットは、前記開閉部に配置されていることを特徴とする（請求項２に記載の発明）。
開閉部は、被収容物を出し入れするための領域であり、その前方の空間が換気空間となり、換気効率が増大する。また開閉部に横線模様が現れて、意匠的価値が発揮される。
【０００９】
上記発明のスラット換気構造を応用した収容体は、下駄箱である（請求項３に記載の発明）。
下駄箱の場合には、その被収容物が靴等であることから、脱臭、防湿の必要性が高く、上記スラット換気構造を有効に活用することができる。
【００１０】
上記発明のスラット換気構造を応用した収容体は、ワードローブである（請求項４に記載の発明）。
ワードローブの場合でも、脱臭、防湿の必要性が高く、上記スラット換気構造を有効に活用することができる。
【００１１】
前記換気構造は、スライド力を回転力に変換させるねじりバーと、該ねじりバーの一端側に取付けられ、且つ、その回転力が伝達される第１の伝達部材と、該第１の伝達部材に取付けられ、且つ、その回転力が伝達されるバー部材と、前記複数のスラットに対応するように、前記バー部材に所定間隔をおいて取付けられ、且つ、その回転力が伝達される第２の伝達部材とからなることを特徴とする（請求項５に記載の発明）。
上記換気構造によれば、操作が容易であり、その操作に確実性があり、任意の開閉角度で静止させることができる。
【００１２】
【発明の実施の形態】
本発明の収容体としての下駄箱（第１実施形態）につき、図面を参照しつつ詳細に説明する。
図１は下駄箱の正面図、図２及び図３は同縦断面図及び横断面図、図４は換気構造の要部断面図、図５は同要部斜視図である。
なお、上記各図及び後述の各図において、略同一の構成は同一の符号を用いて詳細な説明を省略する。
【００１３】
図１〜図３に示したように、下駄箱１は、本体となる長方体状の箱体１０と、この箱体１０の一面に設けられた開口部１１と、この開口部１１の開閉部となる内外の引違戸１２，１３と、箱体１０内に靴等を置く棚１４Ａからなっており、それらの引違戸１２，１３には、それぞれ複数枚のスラット２が取付けられている。
これらのスラット２は後述の換気構造Ｋにより、開閉可能で、各スラット２，２・・・の開放によって、箱体１０の内外の空気が移動し、換気されるようになっている。
【００１４】
前記箱体１０は、前記開口部１１を除く５面が、例えば木製となっており、前記複数段の棚１４も例えば木製で製造すればよい。
【００１５】
前記開口部１１に取付けられる前記内外引違戸１２，１３の各構成は、略同一であるので、外引違戸１２を内引違戸１３に代表させて説明する。
前記外引違戸１２は、図１〜図３に示したように、上下框１２０，１２１、左右框１２２，１２３からなる框に、スラット２をそれぞれ水平方向に配列し、前記換気構造Ｋを操作する操作スライダー１５を内側に臨ませており、その操作スライダー１５が、左右方向にスライドされると、前記各スラット２、２、２・・・が揺動し、開閉するようになっている。
【００１６】
次に前記換気構造Ｋの構成例を説明する。
前記換気構造Ｋは、図４及び図５に示したように、前記操作スライダー１５のスライド力を回転力に変換させるねじりバー３と、その回転力をバー部材４に伝達する第１の伝達部材５と、そのバー部材４の回転力を各スラット２に伝達する第２の伝達部材６からなっている。
前記操作スライダー１５は、摘み片１５０とスライダー本体１５１からなり、そのスライダー本体１５１が、前記下框１２１の上方の桟部１４に設けられたスライド枠１４０（図４）に沿って直線的に滑動できるように配置されている。
【００１７】
前記スライダー本体１５１の構成例を、図６に基づいて説明する。
スライダー本体１５１は、本体部１５１ａと、蓋体部１５１ｂと、これらを組立てるカシメ部１５１ｃからなっており、このカシメ部１５１ｃに前記摘み片１５０が固定されている。
前記本体部１５１ａには、２列の孔１５１ｄ、１５１ｄが設けられており、各孔１５１ｄにスプリング１５１ｅ、ボール１５１ｆが嵌めこまれている。前記本体部１５１ａと蓋体部１５１ｂには、ねじり状の孔１５２が設けられているが、この孔１５２に形成されているクリアランスが、前記スプリング１５１ｅにより前記蓋体部１５１ｂに向かって付勢されるボール１５１ｆによって調整されることになり、前記スライダー本体１５１に「ガタツキ」が生じることなく、スムーズにスライドさせることができる。
【００１８】
より詳細に「ガタツキ防止手段」を取付けた理由及び作用を図７に基づいて説明する。
前記ねじり状の孔１５２をねじりバー３の「ねじれ」にそって忠実に形成すると、操作スライダー１５を操作する際に、「ガタ」が生じる。また全てのねじりバー３に全く同一の「ねじれ」を形成させることは困難である。よって、前記ねじり状の孔１５２にはねじりバー３のためにクリアランス（遊び）が必要になる。この場合に、このクリアランスを調整し、快適なスライド操作を実現するものが「ガタツキ防止手段」である。
【００１９】
図７に示したように、前記スプリング１５１ｅにより前記蓋体部１５１ｂに向かって付勢されるボール１５１ｆがねじりバー３に当接すると共に、操作スライダー１５のスライドにより回転する。その結果、前記ねじり状の孔１５２に挿入されてねじりバー３に作用するクリアランスＣが、適度に調整されることになり、前記スライダー本体１５１に「ガタ」が生じることなく、スムーズにスライドさせることができる。なお、前記スライダー本体１５１は、スライド枠１４０に沿って直線的に滑動できるような形状であればどのようなものでもよく、前記スライダー１５の摘み片１５０の形状も同様に、どのようなものでもよい。
【００２０】
前記ねじりバー３は、薄板状の棒材を所定のねじれ角によって変形させたもので、前記操作スライダー１５の滑動方向に応じて、正転或いは逆転するようになっている。前記ねじりバー３のねじれ角の大きさ、即ち、そのねじれ角によって形成されるねじりバー３の一端３０に対する他端３１の回転角度は、操作者が前記操作スライダー１５を軽くスライドできて、好みの開閉角度を楽しむことができ、さらに各スラット２の開閉角度の微調整が可能なように成形すればよい。例えば、図８に示したように、前記ねじりバー３の一端３０から他端３１までの長さＬに対し、他端の回転角度は約２１０度のように成形してもよい。同じ寸法Ｌにおいて、回転角度を大きく設定すればするほど、スラット２の開閉角度を大きくすることができるが、大きなスライド力を付与しなければならず操作性は重くなる。一方、回転角度を小さく設定すればするほど、スラット２の開閉角度が小さくなり、操作性が軽くなる。また、同じ回転角度において、ねじりバー３の取付長さを調整することにより、スライドバー１５のスライド幅に応じてスラット２の開閉角度を調整することができる。
【００２１】
この実施形態では、前記ねじりバー３の取付長さは、各スラット２を約９０度の範囲で開閉できるように設定され、ねじりバー３の両端３０、３１が回転軸３２，３２に固定されると共に、これらの回転軸３２，３２がそれぞれ前記スライド枠１４０に固定された軸受３３、３３に取付けられている（図５）。
【００２２】
前記回転軸３２は、図５に図示されているように、前記ねじりバー３の端部を固定する固定円柱部３２０と、この固定円柱部３２０より縮径された回転部３２１とからなる。この回転部３２１には、前記第１の伝達部材５の一端を固定する４角孔３２２が形成されている。これら固定円柱部３２０と回転部３２１間に形成された段差３２３が前記軸受３３の側面に当接することにより、前記ねじりバー３が左右方向に変位することなく回転し、回転力のみが前記第１の伝達部材５に伝達されるようになっている。なお、前記ねじりバー３と第１の伝達部材５間に前記回転軸３２を介在させることにより、ねじりバー３の円滑な回転を図ると共に、ねじれ角の異なるねじりバー３の交換も容易となる。前記回転軸３２の回転部３２１は、前記右框１２３に設けられた孔（図示せず）から、その框１２３の中空部１２３ａ（図３参照）に突出され、前記第１の伝達部材５の一端５０に連結されている。
【００２３】
前記第１の伝達部材５は、前記中空部１２３ａに収容され、その一端５０がねじりバー３及び回転軸３２と略同一軸上に配置され、前記回転軸３２の四角孔３２２に固定されている。そして前記一端５０を中心にして、他端５１が前記ねじりバー３の回転に応じて回転する。この第１の伝達部材５は、略小判状に形成されているが、前記一端５０に相当する回転中心部と前記他端５１に相当する回転部を備えていれば、どのような形状でもよい。
【００２４】
前記第１の伝達部材５の他端５１は、前記中空部１２３ａに沿って配置されているバー部材４の孔４０に回転可能に取付けられている。前記バー部材４は、前記第１の伝達部材５からの回転に同調させて各スラット２を回転させるもので、各スラット２の配置間隔に応じた孔４１が設けられている（図５参照）。
一方、前記バー部材４の孔４１に対応するように、前記第１の伝達部材５と略同一の形状に成形された第２の伝達部材６の一端６０が、後述のスラットホルダ７を介して前記中空部１２３ａ内に回転可能に配置されている（図示せず）。
この第２の伝達部材６の他端６１は、前記バー部材４の前記各孔４１に回転可能に配置されており、第２の伝達部材６は、その一端６０を中心にして前記第１の伝達部材５と同調して回転する。
【００２５】
前記スラットホルダ７は、図５等に示したように、前記中空部１２３ａ内に臨む回転軸７０と、この回転軸７０に同軸的に固定され、且つ、右框１２３の外側面に当接する鍔部７１と、前記スラット２の側面に埋込まれる楔部７２からなっている。
【００２６】
なお、前記スラット２の他端を回転可能に保持するスラットホルダ７Ａは、前記左框１２２側に空転可能に取付けられており、前記スラットホルダ７と同様に構成され、その楔部７２が前記スラット２の側面に埋込まれている（図４参照）。
【００２７】
次に、前記スラット２の構成例を説明する。
スラット２は、図５等に示したように、前記スラットホルダ７の楔部７２を取付ける取付部２０を設けた中空部２１と、この中空部２１の下部から下方に延出された板状部２２からなり、例えばアルミニウム等の金属材料の押出成形によって形成されている。
このスラット２の主な特徴的な点は、スラット２を略水平位置まで回動させた場合、その上部が框１２２、１２３の横幅内（框面内１２Ａ，図４参照）に納まるような寸法に形成されていること、前記スラットホルダ７の回転軸７０の位置とスラット２の重心が略一致するように、その形状に工夫を加えたこと、及び前記中空部２１の上部外側に消音部材２３を取付けたことである。
【００２８】
即ち、スラット２の中空部２１の寸法が、スラット２の回転中心Ｃ（前記第２の伝達部材６の一端６０、スラットホルダ７の回転軸７０）から框１２２、１２３横幅までの距離に比べ、短くなるように形成した。
この場合に、スラット２の重心が前記板状部２２側に偏ると、スラット２の回転が重くなり、快適な操作性を害するおそれがある。
そこで、前記スラット２の中空部２１の内、前記回転中心Ｃから内側回転方向寄りの部分（上部）２１ａ（肉厚部）を肉厚、且つ、同方向に若干傾斜状に成型し、その重心が前記板状部２２側に偏らないようにしている。その結果、前記スラットホルダ７の回転軸７０の位置とスラット２の重心が略一致し、操作性が向上している。
【００２９】
前記消音部材２３は、例えば塩化ビニールからなるもので、各スラット２を閉じた際に、上下のスラットが当たるときに発生する音を消音する機能も発揮する。
【００３０】
上記のように構成された外引違戸１２は、その上部が前記箱体１０の上枠１０Ａに取付けられたガイド枠１６にガイドされ、一方、外引違戸１２の下框１２１に戸車８が取付けられており、その戸車８が前記箱体１０の下枠１０Ｂに取付けられたレール１７に沿って走行するようになっている。
【００３１】
前記外引違戸１２と前記内引違戸１３の間には、スペースＳが設けられているが、これは前記内引違戸１３のスラット２を全開させた場合でも、内外引違戸１２，１３を行違可能にするものである。
なお、前記スペースＳをカバーするためのカバー材１２４，１３４がそれぞれ前記框１２２，１３２に取付けられている。
【００３２】
次に、上記のように構成された下駄箱１の使用例を図９に基づいて説明する。図９（ａ）は各スラット２が閉じた状態の要部断面図、同図（ｂ）は各スラット２を略３０度に開いた状態の要部断面図である。
【００３３】
前記スラット２が図９（ａ）に示した閉鎖状態にあるときは、前記操作スライダー１５は同図に示した右端の位置にある。
この位置から前記操作スライダー１５を図面上、左方向にスライドさせると、そのスライド力は、ねじりバー３、回転軸３２、第１の伝達部材５、バー部材４、第２の伝達部材６、スラットホルダ７を介してスラット２に伝達され、各スラット２が前記操作スライダー１５のスライド幅に応じた角度で開放される。
【００３４】
図９（ｂ）のように、前記操作スライダー１５を略中間位置まで移動させると、前記スラット２が約３０度程度、開放される。その結果、各スラット２間で、空気の流路が形成されるので、内外の空気移動が行われ、換気が行われる。
なお、前記箱体１０の上下左右枠１０Ａ〜１０Ｃの各面１０ａ〜１０ｃは、前記右框１２３の面１２３ｂより外側に突出させて形成されている（図３，図４参照）。よって、各スラット２を約３０度程度に開いても、各スラット２の先端が、上下左右枠１０Ａ〜１０Ｃの各面１０ａ〜１０ｃより突出しないようになっている。
各スラット２を閉じるときには、前記操作スライダー１５を右側にスライドさせればよい。
【００３５】
以上のような下駄箱１によれば、第１に消臭装置、乾燥装置等の設置、その設置によって生じるランニングコスト等が不要で、且つ、換気量を自在に調整できる、第２に各スラット２を一斉に開放させるので、換気効率が高まる、第３に各スラット２によって形成される線形状が下駄箱１の表面に現れるので、意匠的な価値も生じる、第４に湿気が多い梅雨時に使用する靴、発汗する夏に使用する靴、乾燥期の秋、冬等、季節に応じて、各スラット２の開放度を調整できる、第５に前記スラットホルダ７の回転軸７０の位置とスラット２の重心が略一致し、操作性が向上している、第６に前記スラット２の開放角度を略全開（約９０度〜約１００度）にすれば、短時間で消臭効果、防湿効果を上げることができる、第７に操作スライダー１５により、各スラット２の開閉を行うので、開閉操作が極めて容易である等の作用効果を奏する。
【００３６】
なお、前記スラット２のサイズを縮小させて、各スラット２の開放時においても、それらの開放幅を前記上下左右框１２０〜１２３の幅内Ｗ（図４参照）に近づけることができる。この場合には、前記スペースＳを狭めたり、無くすことにより、前記カバー材１２４，１３４も不要となる。
また、操作スライダー１５の位置はどこでも良く、例えば図１０に示したように前記桟部１４の表側でもよい。なお、同図の１５０ａは、前記操作スライダー１５のスライド路を示す。その他、前記上框１２０，１３０の内側或いは外側でもよい。
【００３７】
次に、図１１〜図１３に示したように、ワードローブ１Ｂの開閉部としての引違戸１２，１３に、前記スラット２及びその換気構造Ｋを配置してもよい。
その他の構成は、上記下駄箱１、１Ａと同様であり、同様の作用効果を奏する。
【００３８】
上記下駄箱１、ワードローブ１Ａ以外に、被収容物を収納する本体と、その本体に被収容物を出し入れするための開閉部を備えた収容体に上記各構成を応用してもよい。例えば、食料庫、塵等を収容する箱体である。
【００３９】
【発明の効果】
請求項１に記載の発明によれば、消臭装置、乾燥装置等の設置が不要である、ランニングコストが不要である、換気量を自在に調整できる等の作用効果を奏する。
【００４０】
請求項２に記載の発明によれば、換気効率が増大し、また開閉部に横線模様が現れて、意匠的価値が発揮される。
【００４１】
請求項３及び４に記載の各発明によれば、脱臭、防湿の必要性が高く、上記スラット換気構造を有効に活用することができる。
【００４２】
請求項５に記載の発明によれば、スラットの開閉操作が容易であり、その操作に確実性があり、スラットを任意の開閉角度で静止させることができる。
【図面の簡単な説明】
【図１】第１実施形態に係る下駄箱の正面図、
【図２】同縦断面図、
【図３】同横断面図、
【図４】同換気構造の要部断面図、
【図５】同分解斜視図、
【図６】同換気構造を構成する操作スライダーの分解斜視図、
【図７】同操作スライダーの要部断面図、
【図８】同ねじりバーの正面図、
【図９】同操作スライダーの動作説明図、
【図１０】第２実施形態に係る下駄箱の正面図、
【図１１】第３実施形態に係るワードローブの正面図、
【図１２】同縦断面図、
【図１３】同横断面図である。
【符号の説明】
１　１Ａ　下駄箱　　　　　　　　　　１Ｂ　ワードローブ
１０　箱体
１０Ａ〜１０Ｃ　上下左右枠
１０ａ〜１０ｃ　上下左右枠面
１１　開口部
１２　１３　内外引違戸　　　　　　　１２Ａ　框面
１４　桟部
１２０　１３０　上框　　　　　　　　１２１　１３１　下框
１２２　外引違戸の左框　　　　　　　１３２　内引違戸の右框
１２３　外引違戸の右框　　　　　　　１３３　内引違戸の左框
１５　操作スライダー
１４０　スライド枠
１５０　摘み片　　　　　　　　　　　１５０ａ　スライド路
１５１　スライダー本体
１５１ａ　本体部　　　　　　　　　　１５１ｂ　蓋体部
１５１ｃ　カシメ部
１５１ｄ　孔　　　　　　　　　　　　１５１ｅ　スプリング
１５１ｆ　ボール
１５２　孔
１６　ガイド枠　　　　　　　　　　　１７　レール
２　スラット
２０　取付部　　　　　　　　　　　　２１　中空部
２２　板状部　　　　　　　　　　　　２３　消音部材
３　ねじりバー
３０　一端　　　　　　　　　　　　　３１　他端
３２　回転軸　　　　　　　　　　　　３３　軸受
３２０　固定円柱部　　　　　　　　　３２１　回転部
３２２　４角孔　　　　　　　　　　　３２３　段差
４　バー部材
４０　４１　孔
５　第１の伝達部材　　　　　　　　　６　第２の伝達部材
５０　第１の伝達部材の一端　　　　　５１　他端
６０　第２の伝達部材の一端　　　　　６１　他端
７　７Ａ　スラットホルダ　　　　　　７０　回転軸
７１　鍔部　　　　　　　　　　　　　７２　楔部
８　戸車
【図１】
2004131998.tif 000003
【図２】
2004131998.tif 000004
【図３】
2004131998.tif 000005
【図４】
2004131998.tif 000006
【図５】
2004131998.tif 000007
【図６】
2004131998.tif 000008
【図７】
2004131998.tif 000009
【図８】
2004131998.tif 000010
【図９】
2004131998.tif 000011
【図１０】
2004131998.tif 000012
【図１１】
2004131998.tif 000013
【図１２】
2004131998.tif 000014
【図１３】
2004131998.tif 000015